(57)【要約】      （修正有）【課題】少ないエネルギーで効率よく水分を粒子化し、空気中へ加水することができ、簡単な構成でこれを実現することができる空気中への水分加水装置を提供する。【解決手段】基底部３と、当該基底部３から立設された複数の柱状部材２と、前記基底部３の表面に水分を供給するための給水部４と、前記水分を粒子化するための超音波振動子５とを備え、前記複数の柱状部材２は、隣り合う柱状部材２との隙間に前記水分が表面張力でとどまることができ、かつ、前記水分が前記隙間を囲む前記柱状部材２に沿って毛細管現象により上昇することができる間隔で立設される。【選択図】図１
0003144387.tif 000002
【実用新案登録請求の範囲】
【請求項１】
基底部と、
当該基底部から立設された複数の柱状部材と、
前記基底部の表面に水分を供給するための給水部と、
前記水分を粒子化するための超音波振動子とを備え、
前記複数の柱状部材は、隣り合う柱状部材との隙間に前記水分が表面張力でとどまることができ、かつ、前記水分が前記隙間を囲む前記柱状部材に沿って毛細管現象により上昇することができる間隔で立設されることを特徴とする空気中への加水装置。
【請求項２】
前記給水部は、前記水分が毛細管現象により上昇した分量の水分を供給することを特徴とする請求項１に記載の空気中への加水装置。
【考案の詳細な説明】
【技術分野】
【０００１】
この考案は、空気中への加水装置に関するものである。
【背景技術】
【０００２】
超音波霧化装置が特許文献１に開示されている。この超音波霧化装置は、超音波振動部により霧化された粒子をエアー噴射により上方に噴霧するものである。しかしながら、特許文献１に記載の超音波霧化装置は、霧化する液体を容器に収容してこれを超音波振動子部により霧化するため、粒子化までに多大なエネルギーが必要である。粒子化にあたっては、液体量が少ないことが好ましく、さらに液体が均一に広がっているほうが効率がよい。
【０００３】
【特許文献１】特開２００７−２８３２８１号公報
【考案の開示】
【考案が解決しようとする課題】
【０００４】
この考案は上記従来技術を考慮したものであって、少ないエネルギーで効率よく水分を粒子化し、空気中へ加水することができ、簡単な構成でこれを実現することができる空気中への水分加水装置の提供を目的とするものである。
【課題を解決するための手段】
【０００５】
前記目的を達成するため、請求項１の考案では、基底部と、当該基底部から立設された複数の柱状部材と、前記基底部の表面に水分を供給するための給水部と、前記水分を粒子化するための超音波振動子とを備え、前記複数の柱状部材は、隣り合う柱状部材との隙間に前記水分が表面張力でとどまることができ、かつ、前記水分が前記隙間を囲む前記柱状部材に沿って毛細管現象により上昇することができる間隔で立設されることを特徴とする空気中への加水装置を提供する。
【０００６】
さらに、請求項２の考案では、前記給水部は、前記水分が毛細管現象により上昇した分量の水分を供給することを特徴としている。
【考案の効果】
【０００７】
請求項１の考案によれば、柱状部材が、隣り合う柱状部材との隙間に水分が表面張力でとどまることができ、かつ、水分が隙間を囲む柱状部材に沿って毛細管現象により上昇することができる間隔で立設される。このため、基底部において、水分は柱状部材間の隙間に入り込んで表面張力によってそこにとどまるので均一に広がり、柱状部材に沿って上昇して効率よく均一に空気中に粒子化される。粒子化して空気中に水分が放出されても、表面張力により隣の隙間から水分を自動的に補給することができるので、給水部から水分を給水する限り、基底部に水分は均一に補給される。したがって、簡単な構成で効率よく水分を粒子化して空気中に拡散させることができる。
【０００８】
請求項２の考案によれば、毛細管現象により上昇して空気中に拡散した分量の水分だけ給水部から供給することになるので、少ない供給水で効率よく水分を粒子化して空気中に拡散させることができる。
【考案を実施するための最良の形態】
【０００９】
図１はこの考案に係る空気中への加水装置の概略図である。
【００１０】
図示したように、加水装置１は、複数の柱状部材２を立設した基底部３と、この基底部３の表面に水分を供給するための給水部４と、基底部３上の水分を粒子化するための超音波振動子５で構成される。この加水装置１は、密閉空間を形成する容器６内に配設される。容器６の空間には、燃焼ガスを導入するための導入管７が備わる。基底部３は、容器６内に形成された載置台８上に載置され、その底面は超音波振動子５と接している。なお、基底部３と超音波振動子５は所定間隔を隔てていてもよい。
【００１１】
給水部４から供給された水分は、後述するように、基底部３の表面全体に均一に拡散する。この状態で、超音波振動子５により水分を超音波振動させ、水分を粒子化し、容器６内に拡散させる。このとき、導入管７からの燃焼ガスにより水分が温められて容器６内は湿り空気で満たされることになり、容器６内の殺菌、消毒、乾燥等の各種作用を得ることができる。
【００１２】
図２は加水装置の基底部と柱状部材を示し、（Ａ）は側面図、（Ｂ）は平面図である。
【００１３】
図示したように、基底部３には複数の柱状部材２が立設される。柱状部材２は柱状であれば角柱でも円柱でもよい。柱状部材２は、隣り合う柱状部材２との隙間Ｓに給水部４（図１参照）から給水された水分が表面張力でとどまることができ、かつ、水分が隙間Ｓを囲む柱状部材２に沿って毛細管現象により上昇することができる間隔で立設される。
【００１４】
このため、基底部３において、水分は柱状部材２間の隙間Ｓに入り込んで表面張力によってそこにとどまり、基底部３の表面上に均一に広がり、柱状部材２に沿って上昇して効率よく均一に空気中に粒子化される。すなわち、粒子化する水分は、自動的に隙間Ｓにおいて柱状部材２間を上昇し、基底部３の表面から均一に空気中に拡散する。なお、本考案は使用形態を自由にできる。すなわち、基底部３は水平に限らず、斜めにしてもよい。斜めにしても、表面張力により水分は隙間Ｓにとどまるため、隙間Ｓから流出することはなく、結果として水分は基底部３の表面上に均一にできるからである。
【００１５】
また、粒子化して空気中に水分が放出されても、表面張力により隣の隙間Ｓから水分を自動的に補給することができるので、給水部４から水分を給水し続ける限り、基底部３に水分は均一に補給される。したがって、簡単な構成で効率よく水分を粒子化して空気中に拡散させることができる。すなわち、給水部４から供給する水分の流量が少なくても（具体的には隙間Ｓを囲む柱状部材２に沿って毛細管現象により上昇し、粒子化して空気中に拡散した水分量）、水分は表面張力により自動的に基底部３の表面に均一に拡散する。このため、無駄な給水エネルギーを必要とせず、少ないエネルギーで効率よく空気中に水分を拡散することができる。さらに、柱状部材２を所定の大きさの隙間Ｓを形成するように基底部３に均一に立設することにより、給水部４からの水分の供給方向を変えなくても、水分は自動的に基底部３の表面全体に拡散していくので、簡単な構成で効率よく水分を粒子化して空気中に拡散させることができる。
【図面の簡単な説明】
【００１６】
【図１】この考案に係る空気中への加水装置の概略図である。
【図２】加水装置の基底部と柱状部材を示し、（Ａ）は側面図、（Ｂ）は平面図である。
【符号の説明】
【００１７】
１：加水装置、２：柱状部材、３：基底部、４：給水部、５：超音波振動子、６：容器、７：導入管、８：載置台、Ｓ：隙間
【図１】
0003144387.tif 000003
【図２】
0003144387.tif 000004